(57)【特許請求の範囲】
【請求項１】
通信システムでユーザ端末がネットワークにＳＲＳ（Ｓｏｕｎｄｉｎｇ  Ｒｅｆｅｒｅｎｃｅ  Ｓｉｇｎａｌ）を伝送する方法において、
ランダムアクセスチャネルの数を決定する段階と；
ＳＲＳ帯域構成の最大帯域値を、前記ＳＲＳ帯域構成の集合に基づいて、ランダムアクセスチャネルの数及びランダムアクセスチャネルのそれぞれに対するリソースブロックの数による関数によって再構成する段階と；
前記再構成したＳＲＳ帯域構成による帯域に基づいてＳＲＳを伝送する段階と；
を含み、
前記ＳＲＳ帯域構成に対する情報は、前記ネットワークによって前記ユーザ端末に提供されることを特徴とするＳＲＳ伝送方法。
【請求項２】
通信システムでネットワークがユーザ端末からＳＲＳ（Ｓｏｕｎｄｉｎｇ  Ｒｅｆｅｒｅｎｃｅ  Ｓｉｇｎａｌ）を受信する方法において、
少なくとも１つのランダムアクセスチャネルの伝送のために帯域を割り当てる段階と；
前記ユーザ端末に前記割り当てられた帯域及びＳＲＳ帯域構成を伝送する段階と；
ＳＲＳ帯域構成の集合に基づいて、ランダムアクセスチャネルの数及びランダムアクセスチャネルのそれぞれに対するリソースブロックの数による関数によって、前記ＳＲＳ帯域構成の最大帯域値を再構築することによって、前記ユーザ端末が再構成したＳＲＳ帯域構成による帯域に基づいてＳＲＳ伝送を受信する段階と；
を含み、
前記ＳＲＳ帯域構成に対する情報は、前記ネットワークによって前記ユーザ端末に提供されることを特徴とするＳＲＳ受信方法。
【請求項３】
前記少なくとも１つのランダムアクセスチャネルは、前記通信システムにおける動作帯域の各エッジに位置することを特徴とする請求項１または２に記載のＳＲＳ送受信方法。
【請求項４】
前記動作帯域の各エッジの少なくとも１つのリソースブロックは測定されないことを特徴とする請求項１または２に記載のＳＲＳ送受信方法。
【請求項５】
前記ＳＲＳ帯域の前記最大帯域値は、前記少なくとも１つのランダムアクセスチャネルの伝送のために割り当てられた前記帯域と重複しない前記ＳＲＳ帯域構成の集合で帯域値が最大であることを特徴とする請求項１または２に記載のＳＲＳ送受信方法。
【請求項６】
ＮＵＬＲＢがリソースブロックの観点から上向きリンク帯域であり、
Ｃが前記ＳＲＳ構成の集合であり、
ｃが前記ＳＲＳ構成の集合ＣでＳＲＳ構成であり、
ｍｃＳＲＳ,０が前記ＳＲＳ構成ｃで最大帯域値であり、
ＮＲＡがランダムアクセスチャネルの数であり、
Ｑがランダムアクセスチャネルのそれぞれに対するリソースブロックの数である時、
前記ＳＲＳ帯域の前記最大帯域値は、ＮＳＲＳｍａｘによって示され、リソースブロックの観点から次の数式
【数１】
0005551703.tif 000015
によって決定されることを特徴とする請求項５に記載のＳＲＳ送受信方法。
【請求項７】
前記ＳＲＳ伝送及びランダムアクセスチャネルの伝送は、特別サブフレームであるＵｐＰＴＳ（Ｕｐｌｉｎｋ  ＰａｒＴ  Ｓｙｍｂｏｌｓ）で行われることを特徴とする請求項１または２に記載のＳＲＳ送受信方法。
【請求項８】
少なくとも１つのＳＲＳ伝送の帯域が前記少なくとも１つのランダムアクセスチャネルに割り当てられる前記帯域と重複する時、前記少なくとも１つのＳＲＳ伝送を中断する段階；をさらに含むことを特徴とする請求項１に記載のＳＲＳ伝送方法。
【請求項９】
ＳＲＳ伝送の帯域が前記少なくとも１つのランダムアクセスチャネルに割り当てられる前記帯域と一部分が重複する時、前記ＳＲＳ伝送帯域を前記少なくとも１つのランダムアクセスチャネルの伝送に割り当てられる前記帯域と重ならないように最大帯域に減少させる段階と；
前記ＳＲＳ伝送帯域が前記少なくとも１つのランダムアクセスチャネルに割り当てられる前記帯域と完全に重複する時、前記ＳＲＳ伝送を中止する段階と；
を含むことを特徴とする請求項１に記載のＳＲＳ伝送方法。
【請求項１０】
ＳＲＳ伝送の帯域が前記少なくとも１つのランダムアクセスチャネルに割り当てられる前記帯域と一部分が重複する時、前記ＳＲＳ伝送が前記少なくとも１つのランダムアクセスチャネルに割り当てられる前記帯域と重ならないように帯域に対応するすべてのＳＲＳ伝送の帯域を減少させる段階と；
前記ＳＲＳ伝送帯域が前記少なくとも１つのランダムアクセスチャネルに割り当てられる前記帯域と完全に重複する時、前記ＳＲＳ伝送を中止する段階と；
を含むことを特徴とする請求項１に記載のＳＲＳ伝送方法。
【請求項１１】
前記少なくとも１つのランダムアクセスチャネルは、動作帯域内に存在することを特徴とする請求項１に記載のＳＲＳ伝送方法。
【請求項１２】
前記少なくとも１つのランダムアクセスチャネルに割り当てられる前記帯域と重複する時、最大帯域ＳＲＳ伝送及びＳＲＳ伝送を中止することを特徴とする請求項１１に記載のＳＲＳ伝送方法。
【請求項１３】
最大帯域ＳＲＳ伝送及びＳＲＳ伝送が前記少なくとも１つのランダムアクセスチャネルに割り当てられる前記帯域と重複する時、前記最大帯域ＳＲＳ伝送及び前記ＳＲＳ伝送を前記少なくとも１つのランダムアクセスチャネルに割り当てられる前記帯域と重ならない前記動作帯域の領域に移動させることを特徴とする請求項１１に記載のＳＲＳ伝送方法。
【請求項１４】
別途の最大帯域ＳＲＳ伝送及び別途の非最大帯域ＳＲＳ伝送が前記動作帯域に追加生成されることを特徴とする請求項１３に記載のＳＲＳ伝送方法。
【請求項１５】
通信システムでネットワークにＳＲＳ（Ｓｏｕｎｄｉｎｇ  Ｒｅｆｅｒｅｎｃｅ  Ｓｉｇｎａｌ）を伝送する装置において、
ランダムアクセスチャネルの数を決定し、ＳＲＳ帯域構成の最大帯域値を、前記ＳＲＳ帯域構成の集合に基づいて、ランダムアクセスチャネルの数及びランダムアクセスチャネルのそれぞれに対するリソースブロックの数による関数によって再構成し、前記再構成したＳＲＳ帯域構成による帯域に基づいて前記ＳＲＳを伝送するサブキャリアマッパーを含み、
前記ＳＲＳ帯域構成に対する情報は、前記ネットワークによってユーザ端末に提供されることを特徴とするＳＲＳ送信装置。
【請求項１６】
通信システムでユーザ端末からＳＲＳ（Ｓｏｕｎｄｉｎｇ  Ｒｅｆｅｒｅｎｃｅ  Ｓｉｇｎａｌ）を受信する装置において、
少なくとも１つのランダムアクセスチャネルの伝送のために帯域を割り当てるサブキャリアマッパーと；
前記ユーザ端末に前記割り当てられた帯域及びＳＲＳ帯域構成を伝送する送信機と；
前記ＳＲＳ帯域構成の集合に基づいて、ランダムアクセスチャネルの数及びランダムアクセスチャネルのそれぞれに対するリソースブロックの数による関数によって、前記ＳＲＳ帯域構成の最大帯域値を再構築することによって、前記ユーザ端末が再構成したＳＲＳ帯域構成による帯域に対応してＳＲＳ伝送を受信する受信機と；
を含み、
前記ＳＲＳ帯域構成に対する情報は、ネットワークによって前記ユーザ端末に提供されることを特徴とするＳＲＳ受信装置。
【請求項１７】
前記ＳＲＳ帯域の前記最大帯域値は、前記少なくとも１つのランダムアクセスチャネルの伝送のために割り当てられた前記帯域と重複しないＳＲＳ帯域構成の集合で帯域値が最大であることを特徴とする請求項１５または１６に記載のＳＲＳ送受信装置。
【請求項１８】
ＮＵＬＲＢがリソースブロックの観点から上向きリンク帯域であり、
Ｃが前記ＳＲＳ構成の集合であり、
ｃが前記ＳＲＳ構成の集合ＣでＳＲＳ構成であり、
ｍｃＳＲＳ,０が前記ＳＲＳ構成ｃで最大帯域値であり、
ＮＲＡがランダムアクセスチャネルの数であり、
Ｑがランダムアクセスチャネルのそれぞれに対するリソースブロックの数である時、
前記ＳＲＳ帯域の前記最大帯域値は、ＮＳＲＳｍａｘによって示され、リソースブロックの観点から次の数式
【数２】
0005551703.tif 000016
によって決定されることを特徴とする請求項１５または１６に記載のＳＲＳ送受信装置。
【請求項１９】
前記ＳＲＳ伝送及びランダムアクセスチャネルの伝送は、特別サブフレームであるＵｐＰＴＳ（Ｕｐｌｉｎｋ  ＰａｒＴ  Ｓｙｍｂｏｌｓ）で行われることを特徴とする請求項１５または１６に記載のＳＲＳ送受信装置。
【請求項２０】
前記ランダムアクセスチャネルのそれぞれに対するリソースブロックの数は、６であることを特徴とする請求項１に記載のＳＲＳ送受信方法。
【請求項２１】
前記ランダムアクセスチャネルのそれぞれに対するリソースブロックの数は、６であることを特徴とする請求項１５または１６に記載のＳＲＳ送受信装置。
【発明の詳細な説明】
【技術分野】
【０００１】
本発明は、３ＧＰＰ（３ｒｄ  Ｇｅｎｅｒａｔｉｏｎ  Ｐａｔｎｅｒｓｈｉｐ  Ｐｒｏｊｅｃｔ）Ｅ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）ＬＴＥ（Ｌｏｎｇ  Ｔｅｒｍ  Ｅｖｏｌｕｔｉｏｎ）の開発に関し、さらに詳細には、時分割二重化（ＴＤＤ；Ｔｉｍｅ  Ｄｉｖｉｓｉｏｎ  Ｄｕｐｌｅｘｉｎｇ）を利用する単一キャリア周波数分割多重接続（ＳＣ−ＦＤＭＡ；Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）通信システムでのサウンディングレファレンス（ｓｏｕｎｄｉｎｇｒｅｆｅｒｅｎｃｅ）信号伝送に関する。
【背景技術】
【０００２】
本願では、
【数１】
0005551703.tif 000002
を
Ｘａｂ
と表記する。
【０００３】
通信システムが正確に動作するために、いくつかの種類の信号がシステムによって支援される。データ信号の伝送及び受信が正確に行われるためには、情報コンテンツを伝送するデータ信号とともに、制御信号及びレファレンス信号（ＲＳ；Ｒｅｆｅｒｅｎｃｅ  Ｓｉｇｎａｌｓ）の伝送が必要である。このような信号は、ユーザ端末（ＵＥｓ；Ｕｓｅｒ  Ｅｑｕｉｐｍｅｎｔｓ）からサービング基地局（ＢＳ；Ｂａｓｅ  ＳｔａｔｉｏｎまたはＮｏｄｅ  Ｂ）に通信システムの上向きリンク（ＵＬ；ＵｐＬｉｎｋ）を通じて伝送され、サービング基地局からユーザ端末に通信システムの下向きリンク（ＤＬ；ＤｏｗｎＬｉｎｋ）を通じて伝送される。制御信号は、例えば、正確または不正確なデータパケット受信に対する応答としてユーザ端末が伝送する肯定または否定応答信号（ＡＣＫまたはＮＡＫ）を含む。また、制御信号は、ユーザ端末の経験による下向きリンクチャネルの状態に対する情報を提供するＣＱＩ（Ｃｈａｎｎｅｌ  Ｑｕａｌｉｔｙ  Ｉｎｄｉｃａｔｉｏｎ）信号を含む。基地局でデータまたは制御信号の凝集性復調（ｃｏｈｅｒｅｎｔ  ｄｅｍｏｄｕｌａｔｉｏｎ）を提供するか、基地局でユーザ端末の経験による上向きリンクチャネルの状態を測定するために、レファレンス信号（ＲＳ）は、一般的に各ユーザ端末によって伝送される。データまたは制御信号の復調のために使用されるレファレンス信号は、復調レファレンス信号（ＤＭ  ＲＳ；Ｄｅｍｏｄｕｌａｔｉｏｎ  ＲＳ）と言い、一般的に、実際広帯域である上向きリンクチャネル媒体の測定のために使用される信号をサウンディングレファレンス信号（Ｓｏｕｎｄｉｎｇ  ＲＳまたはＳＲＳ）と言う。
【０００４】
ターミナルまたはモバイルステーションとも呼ばれるユーザ端末は、固定されているか、移動することができ、無線デバイス、携帯電話、パソコン装置などになることができる。基地局（Ｎｏｄｅ  ＢまたはＢＳ）は、一般的に固定されたステーションであり、ＢＴＳ（Ｂａｓｅ  Ｔｒａｎｓｃｅｉｖｅｒ  Ｓｙｓｔｅｍ）やアクセスポイント（ａｃｃｅｓｓ  ｐｏｉｎｔ）または他の用語と呼ばれることができる。
【０００５】
ユーザ端末はデータ信号をＰＵＳＣＨ（Ｐｈｙｓｉｃａｌ  Ｕｐｌｉｎｋ  Ｓｈａｒｅｄ  ＣＨａｎｎｅｌ）を通じて伝送する。ＰＵＳＣＨ伝送がない間、ユーザ端末は、制御信号をＰＵＣＣＨ（Ｐｈｙｓｉｃａｌ  Ｕｐｌｉｎｋ  Ｃｏｎｔｒｏｌ  ＣＨａｎｎｅｌ）を通じて伝送する。データまたは制御信号の伝送は、例えば、１ｍｓｅｃの時間を有するサブフレームに該当するＴＴＩ（Ｔｒａｎｓｍｉｓｓｉｏｎ  Ｔｉｍｅ  Ｉｎｔｅｒｖａｌ）の間に行われる。
【０００６】
図１は、ＰＵＳＣＨ伝送のためのサブフレーム構造１１０を示すブロック図である。サブフレームは、２つのスロットを含む。各スロット１２０は、データ信号、ＲＳ（Ｒｅｆｅｒｅｎｃｅ  Ｓｉｇｎａｌ）、制御信号の伝送のために使用される７個のシンボルを含む。各シンボル１３０は、チャネル遅延効果（ｃｈａｎｎｅｌ  ｐｒｏｐａｇａｔｉｏｎ  ｅｆｆｅｃｔｓ）によって発生する干渉を緩和するために、ＣＰ（Ｃｙｃｌｉｃ  Ｐｒｅｆｉｘ；循環前置）をさらに含む。他のスロットで信号伝送は同時に行われるか、動作帯域の他の部分で行われる。各スロットの一部のシンボルは、チャネル推定を提供し、受信された信号の凝集性復調を行うことができるように、ＲＳの伝送１４０に使用される。ＴＴＩがただ１つのスロットを有するか、１つのサブフレーム以上を有することも可能である。伝送帯域幅は、資源ブロック（Ｒｅｓｏｕｒｃｅ  Ｂｌｏｃｋ）である周波数リソースユニットを含む。例えば、各リソースブロック（ＲＢ）は、ＮＲＢＳＣ＝１２個のサブフレームを含む。ユーザ端末には、１つ以上の連続するリソースブロック１５０がＰＵＳＣＨ伝送のために割り当てられ、１つのリソースブロックがＰＵＣＣＨ伝送のために割り当てられる。上記値は、ただ説明のためのものである。
【０００７】
端末からのＰＵＳＣＨ伝送及び関連したＭＣＳ（Ｍｏｄｕｌａｔｉｏｎ  Ｃｏｄｉｎｇ  Ｓｃｈｅｍｅ）によってスケジューリングを通じて基地局（Ｎｏｄｅ  Ｂ）のリソースブロック（ＲＢ）で定義するために、ＰＵＳＣＨ伝送帯域に対する上向きリンクチャネル媒体のＣＱＩ測定が要求される。ＰＵＳＣＨ伝送帯域は、動作帯域と同じか、または小さい。一般的に、上向きリンクＣＱＩ測定は、スケジューリングされた帯域を通じてユーザ端末によるＳＲＳの個別伝送によって得られる。ＳＲＳは、データまたは制御情報の伝送を代替し、上向きリンクサブフレームの１つのシンボル内で伝送される。ＳＲＳは、ＳＲＳ伝送帯域でＳＩＮＲ（Ｓｉｇｎａｌ−ｔｏ−Ｉｎｔｅｒｆｅｒｅｎｃｅ  ａｎｄ  Ｎｏｉｓｅ  Ｒａｔｉｏ）測定のために使用される。また、ＳＲＳは、上向きリンクＴＰＣ（Ｔｒａｎｓｍｉｓｓｉｏｎ  Ｐｏｗｅｒ  Ｃｏｎｔｒｏｌ）及び上向きリンク同期のために使用される。
【０００８】
図２は、ＳＲＳ伝送を示す。ＳＲＳ伝送は、各々４．３％のＳＲＳオーバーヘッドによって１つおきに１つのサブフレーム（一周期間隔おきのサブフレーム）の最後のサブフレームシンボル２６０、２６５で行われる。第１サブフレーム２０１期間の間に動作帯域の他の部分で第１ユーザ端末２１０及び第２ユーザ端末２２０のＰＵＳＣＨ伝送が多重化される。また、第２サブフレーム２０２期間の間に動作帯域の他の部分で第２ユーザ端末２２０及び第３ユーザ端末２３０のＰＵＳＣＨ伝送が多重化される。また、第３サブフレーム２０３期間の間に動作帯域の他の部分で第４ユーザ端末２４０及び第５ユーザ端末２５０のＰＵＳＣＨ伝送が多重化される。ユーザ端末は、サブフレームのいくつかのシンボルで基地局受信機が余分のサブフレームシンボルを通じて伝送されたデータまたは制御信号を凝集性復調することができるようにＤＭ  ＲＳを伝送する。例えば、第１ユーザ端末、第２ユーザ端末、第３ユーザ端末、第４ユーザ端末、第５ユーザ端末は、各々ＤＭ  ＲＳ２１５、２２５、２３５、２４５、２５５を伝送する。ユーザ端末は、ＰＵＳＣＨ伝送と同一のサブフレームあるいは異なるサブフレームを通じてＳＲＳを伝送することができる。同一のサブフレームでＳＲＳ及びＰＵＳＣＨ伝送が重なれば、動作帯域の他の部分にＳＲＳ及びＰＵＳＣＨ伝送を位置させる。
【０００９】
図３は、ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シーケンスのタイムドメイン伝送に基盤するＤＭ  ＲＳの伝送構造を示す。ＣＡＺＡＣシーケンス３１０は、ブロック３２０で循環移動（ｃｙｃｌｉｃ  ｓｈｉｆｔ）される。出力されたシーケンスのＤＦＴ（Ｄｉｓｃｒｅｔｅ  Ｆｏｕｒｉｅｒ  Ｔｒａｎｓｆｏｒｍ）は、ブロック３３０から得る。ブロック３４０でサブキャリアは、ブロック３５０の割り当てられた伝送帯域によってマッピングされる。ＩＦＦＴ（Ｉｎｖｅｒｓｅ  Ｆａｓｔ  Ｆｏｕｒｉｅｒ  Ｔｒａｎｓｆｏｒｍ）は、ブロック３６０で行われる。伝送された信号３９０に適用するために、ブロック３７０でＣＰ（Ｃｙｃｌｉｃ  Ｐｒｅｆｉｘ）が挿入され、タイムウィンドウブロック３８０でフィルタリングが行われる。保護サブキャリア（図示せず）及びユーザ端末からの信号伝送のために使用されるサブキャリアで、レファレンスユーザ端末によるパッディング（ｐａｄｄｉｎｇ）の挿入はないものと仮定する。図３の伝送機構造は、ＳＲＳ伝送のために、若干の修正（コムスペクトル（ｃｏｍｂ  ｓｐｅｃｔｒｕｍ）を生成するためのＣＡＺＡＣシーケンスの時間内での繰り返しのような）のために使用されることができる。さらに、追加的な伝送回路網を簡潔にするために、デジタル／アナログコンバータ、アナログフィルタ、アンプ、伝送アンテナのように、この発明の技術分野によく知られた構成は図示しなかった。
【００１０】
図４は、周波数ドメインでＤＭ  ＲＳまたはＳＲＳとして使用されるＣＡＺＡＣシーケンス生成の他の方法を示す。図３のタイムドメイン生成方法のように、ＳＲＳサブキャリアは、連続しなくてもよい（ＳＲＳはコムスペクトルを有する）。これは、同一でない周波数バンドでＳＲＳ伝送が重なる時（周波数分割方式の場合にも）、直交多重化に有用である。このようなＳＲＳは、異なる長さのＣＡＺＡＣシーケンスによって構成され、これが異なる循環移動（ＣＳ；Ｃｙｃｌｉｃ  Ｓｈｉｆｔ）を利用して分離されないものに対しては、後述する。伝送されるＣＡＺＡＣシーケンスの周波数ドメイン生成方法は、時間ドメイン生成方法と２つの段階を除いて同一の手続に従う。ブロック４１０でＣＡＺＡＣシーケンスの周波数ドメインバージョンが使用される。特に、ＣＡＺＡＣのＤＦＴは、あらかじめ演算され、伝送手続に含まれない。さらに、ＣＳブロック４５０は、ＩＦＦＴブロック４４０の以後に適用される。伝送制御帯域ブロック４２０、サブキャリアマッピングブロック４３０、ＣＰ挿入ブロック４６０、伝送された信号４８０に適用されるタイムウィンドウイング（ｗｉｎｄｏｗｉｎｇ）ブロック４７０は、他の一般的な機能（図示せず）と同様に、図３で説明した通りである。
【００１１】
受信機で、逆方向伝送（または付加伝送）機能が行われることができる。図５及び図６は、図３及び図４に対応して逆に作動することを示す。
【００１２】
図５で、アンテナ高周波アナログ信号を受信し、フィルタ、アンプ、周波数下降コンバータ、アナログ／デジタルコンバータのような装置の処理をさらに経たデジタル受信信号５１０は、タイムウィンドウイング装置５２０を経て、ブロック５３０でＣＰが除去される。引き続いて、受信機装置は、ブロック５４０でＦＦＴを適用し、ブロック５５５で受信帯域制御機５５０を通じて送信機によって使用されるサブキャリアを選択する。次いで、ブロック５６０からＩＤＦＴ（Ｉｎｖｅｒｓｅ  ＤＦＴ）を適用する。その後、伝送されたＣＡＺＡＣシーケンスを適用してブロック５７０でＣＳを復元する。また、乗算器５９０でＣＡＺＡＣシーケンスの複製５８０を出力信号（ＣＳが復元された信号）に乗算（相関）し、出力５９５を得る。この出力５９５は、チャネル推定またはＣＱＩ推定に使用される。
【００１３】
同様に、図６で、デジタル受信信号６１０は、タイムウィンドウイング装置６２０を経て、ブロック６３０でＣＰが除去される。引き続いて、ブロック６４０で伝送されたＣＡＺＡＣシーケンスのＣＳが復元される。ブロック６５０でＦＦＴが適用され、ブロック６６５で受信帯域制御機６６０を通じて送信機によって使用されたサブキャリアが選択される。また、乗算器６７０でＣＡＺＡＣシーケンスの複製６８０の相関が順に適用される。最後に、出力６９０が得られ、得られた出力は、時間−周波数補間器または上向きリンクＣＱＩ推定器のようなチャネル推定装置を経ることができる。
【００１４】
前述したように、ＲＳ（ＤＭ  ＲＳまたはＳＲＳ）は、ＣＡＺＡＣシーケンスによって構成される。このようなシーケンスの例は、次の数式１によって求められる。
【００１５】
【数２】
0005551703.tif 000003
【００１６】
ここで、Ｌは、ＣＡＺＡＣシーケンスの長さであり、ｎは、シーケンスの要素ｎ＝｛０、１、２、…、Ｌ−１｝のインデックスであり、ｋは、シーケンス自体のインデックスである。ＣＡＺＡＣシーケンスの基本長さがＬである時、シーケンスの数は、Ｌ−１である。したがって、全体シーケンスファミリは、｛ｌ、２、…、Ｌ−１｝でｋの範囲によって決定される。しかし、前述した説明を厳格に適用してＲＳ伝送のためのＣＡＺＡＣシーケンスを生成する必要はない。リソースブロックＲＢがサブキャリアの偶数を含み、１つのリソースブロックがＮＲＢＳＣ＝１２個のサブキャリアを含むと仮定すれば、ＲＳ伝送に使用されるシーケンスは、周波数または時間ドメインで、長い基本長さ（例えば、長さ１３）のＣＡＺＡＣシーケンスの終端要素を捨てるか、小さい基本長さ（例えば、長さ１１）を有するＣＡＺＡＣシーケンスをシーケンスの一番目の要素を終端で繰り返して（ｃｙｃｌｉｃ  ｅｘｔｅｎｓｉｏｎ）拡張することによって生成される。また、ＣＡＺＡＣ属性を満足させるシーケンスを捜すコンピュータを通じて生成されることができる。
【００１７】
ＣＡＺＡＣシーケンスの互いに異なるＣＳは、直交ＣＡＺＡＣシーケンスを提供する。したがって、ＣＡＺＡＣシーケンスの互いに異なるＣＳは、同一のリソースブロック（ＲＢ）内で直交（ｏｒｔｈｏｇｏｎａｌ）するリソースブロックを多重化するために、互いに異なるユーザ端末に割り当てられることができる。この原理が図７に示されている。ＣＡＺＡＣシーケンス７１０、７３０、７５０、７７０を多重化するために、直交される同一のルートのＣＡＺＡＣシーケンスのＣＳ７２０、７４０、７６０、７８０を生成する。ＣＳ値７９０は、チャネル伝搬遅延拡散Ｄ（時間不確実エラー及びフィルタ過剰効果を含む）を超過する。ＴＳが１つのシンボル周期を有すれば、ＣＳの数は、ＴＳ／Ｄ割合の数理的フロア（ｍａｔｈｅｍａｔｉｃａｌ  ｆｌｏｏｒ）と同一の値を有する。１２回の循環移動（ｃｙｃｌｉｃ  ｓｈｉｆｔ）があり、シンボル周期が約６６マイクロ秒である時、連続するＣＳの時間区分は、約５．５マイクロ秒になる（１ミリ秒サブフレームは、１４シンボル周期を有する）。または、多重経路伝搬に対するさらに良い保護のために、６個のＣＳだけを使用して約１１マイクロ秒の時間区分を提供することができる。
【００１８】
ＳＲＳ伝送帯域は、ユーザ端末が上向きリンクで経験したＳＩＮＲ（Ｓｉｇｎａｌ  ｔｏ  Ｎｏｉｓｅ  Ｒａｔｉｏ）による。上向きリンクＳＩＮＲが低いユーザ端末の場合、サービング基地局（Ｎｏｄｅ  Ｂ）は、帯域単位当たり伝送ＳＲＳ電力の高い割合を提供するために、狭いＳＲＳ伝送帯域を割り当てることができる。反対に、上向きリンクＳＩＮＲが高いユーザ端末の場合、正確な上向きリンクＣＱＩ推定は、広い帯域でＳＲＳを推定した時、当該ＳＲＳから得ることができるので、サービング基地局（Ｎｏｄｅ  Ｂ）は、高いＳＲＳ伝送帯域を割り当てることができる。
【００１９】
表１は、支援されるＳＲＳ伝送帯域のいくつかの組み合わせを示す。これは、３ＧＰＰ  ＥＵＴＲＡ  Ｒｅｌｅａｓｅ８．で採択された構成によるものである。サービング基地局（Ｎｏｄｅ  Ｂ）は、放送チャネルを通じて構成ｃをシグナリングすることができる。例えば、３ビットは、８個の構成を指示することができる。次に、サービング基地局（Ｎｏｄｅ  Ｂ）は、各ユーザ端末に個別的に割り当てることができる。例えば、２ビットのさらに高い階層シグナリングを利用して、構成ｃを示すｂの値を指示することによって、可能なＳＲＳ伝送帯域のうち１つであるｍｃＳＲＳ,ｂ（リソースブロック内で）を割り当てることができる。基地局（Ｎｏｄｅ  Ｂ）は、次第に上向きリンクＳＩＮＲの減少されるユーザ端末にＳＲＳ伝送帯域ｍｃＳＲＳ,０，ｍｃＳＲＳ,１，ｍｃＳＲＳ,２、及びｍｃＳＲＳ,３（表１で、各々ｂ＝Ｏ、ｂ＝１、ｂ＝２、ｂ＝３）を割り当てる。
【００２０】
【表１】
0005551703.tif 000004
【００２１】
最大ＳＲＳ帯域で、変数は、多様なＰＵＣＣＨの大きさを収容することができるように主に考慮する。ＰＵＣＣＨが動作帯域の２つのエッジで伝送されると仮定する。また、ＳＲＳと互いに重ならない（干渉しない）と仮定する。したがって、（リソースブロック内で）ＰＵＣＣＨの大きさは、さらに大きく、最大ＳＲＳ伝送帯域は、さらに小さい。
【００２２】
図８は、表１によって構成がｃ＝３である時、多重ＳＲＳ伝送帯域を示すものである。ＰＵＣＣＨ伝送が動作帯域の２つのエッジ８０２及び８０４に位置し、ユーザ端末は、当該ＳＲＳ伝送帯域がｍ３ＳＲＳ,０＝７２リソースブロック８１２またはｍ３ＳＲＳ,１＝２４リソースブロック８１４またはｍ３ＳＲＳ,２＝１２リソースブロック８１６またはｍ３ＳＲＳ,３＝４リソースブロック８１８のように構成される。リソースブロック８０６及び８０８は、測定されなくてもよい。しかし、これは、ＰＵＳＣＨ伝送をスケジューリングする当該リソースブロック内で基地局（Ｎｏｄｅ  Ｂ）の性能には影響を及ぼさない。なぜなら、上向きリンクＳＩＮＲによってＳＲＳ伝送を有する周辺リソースブロックから補間されるからである。最大値を除いて、ＳＲＳ帯域のためにサービング基地局（Ｎｏｄｅ  Ｂ）は、ＳＲＳ伝送の開始周波数位置に端末に割り当てると仮定する。
【００２３】
時間分割二重化を利用する通信システムで、下向きリンクと上向きリンク伝送は、異なるサブフレームで行われる。例えば、サブフレームを有するフレームで、一部のサブフレームは、下向きリンク伝送に使用される。また、一部のサブフレームは、上向きリンク伝送に使用される。
【００２４】
図９は、ＴＤＤシステムのためのハーフ−フレーム構造を示す。各５ｍｓのハーフフレーム９１０は、８個のスロット９２０に区分され、各スロットは、図１で説明したような上向きリンク伝送に使用される一般サブフレームと特別サブフレームに割り当てられる。特別サブフレームは、３個の特別フィールドで構成される。これは、ＤｗＰＴＳ（Ｄｏｗｎｌｉｎｋ  ＰａｒＴ  Ｓｙｍｂｏｌｓ）９３０、ＧＰ（Ｇｕａｒｄ  Ｐｅｒｉｏｄ（保護帯域））９４０、ＵｐＰＴＳ（Ｕｐｌｉｎｋ  ＰａｒＴ  ｓｙｍｂｏｌｓ）９５０である。ＤｗＰＴＳ９３０、ＧＰ９４０、ＵｐＰＴＳ９５０を合わせた長さは、１つのサブフレーム（１ｍｓｅｃ）９６０である。ＤｗＰＴｓ９３０は、サービング基地局（Ｎｏｄｅ  Ｂ）から同期信号の伝送のために使用される。これに対し、ＵｐＰＴＳ９５０は、ユーザ端末がネットワークへの接続を試みるために使用するランダムアクセス信号の伝送のために使用される。ＧＰ９４０は、一時的な干渉を吸収することによって、上向きリンクと下向きリンク伝送間の切替を可能にする。ＤｗＰＴＳまたはＵｐＰＴＳ資源は、同期信号またはランダムアクセス信号の伝送に使用されず、各々、データ信号、制御信号またはＲＳとして使用される。
【００２５】
ＮＵＬＲＢ個のリソースブロックの上向きリンク動作帯域及びＮＲＡ個のランダムアクセスチャネルがある時、ランダムアクセスチャネルがＱ個のリソースブロックで構成されると仮定すれば、最大ＳＲＳ伝送帯域は、ＮＵＬＲＢ−Ｑ・ＮＲＡ個のリソースブロックである。具現及びテスト目的で、ＳＲＳ及びＤＭ  ＲＳが同一のＣＡＺＡＣシーケンスを採択することは有用である。また、長い基本ＤＦＴ長さを回避するために有用なので、ＰＵＳＣＨ伝送帯域及びこれによるＤＭ  ＲＳシーケンス長さは、例えば、
【数３】
0005551703.tif 000005
個のリソースブロックのような小さい基本ファクターの多重化のために制限されることができる。ここで、α２，α３及びα５は、負でない整数である。さらにに、表１のように、ＳＲＳ伝送帯域が４個のリソースブロックで多重化されて構成される場合、ＳＲＳ伝送帯域は、
【数４】
0005551703.tif 000006
個のリソースブロックを有する。
【００２６】
ＵｐＰＴＳシンボル内で、ＰＵＣＣＨ伝送は行われないものと仮定するので、従来、最大ＳＲＳ伝送帯域ＮＳＲＳｍａｘを
【数５】
0005551703.tif 000007
個のリソースブロックにする。これは、Ｑ個のリソースブロックを含むＮＲＡ個のランダムアクセスチャネルが動作帯域の２個のエッジに位置するものと仮定する。例えば、図８で、ＰＵＣＣＨの場合は、これと類似の方式によるものである。ＳＲＳ伝送帯域が最大値より小さい時、伝送シンボルがＵｐＰＴＳ伝送シンボルであるか否かにかかわらず、同一の値が維持されることができる。
【発明の概要】
【発明が解決しようとする課題】
【００２７】
しかし、前述の方式は、ｎｏｎ−ＵｐＰＴＳシンボルで支援されること以外に、ＵｐＰＴＳシンボルで追加的なＳＲＳ帯域を導入しなければならない。例えば、ＮＵＬＲＢ＝１００であり、ＮＲＡ＝２である時、ＵｐＰＴＳシンボルで最大ＳＲＳ伝送帯域は、８８個のリソースブロックを通じて行われる。これは、表１のいかなる構成でも支援されない。これにより、最大ＳＲＳ伝送帯域のためのオプションの数が増加し、追加的なテストも要求される。また、前述の方式は、ＵｐＰＴＳシンボルの最大ＳＲＳ帯域がｎｏｎ−ＵｐＰＴＳシンボルの最大ＳＲＳ帯域より小さい状況を反映しない。また、前述の方式は、既設定された方法によって、ランダムアクセスチャネルが動作帯域のエッジに少なくとも１つ位置することを仮定する。しかし、基地局がランダムアクセスチャネルの帯域の位置を構成すること（例えば、放伝送号の伝送を通じて）が、全体システムの動作観点から好ましいことができる。この場合、ランダムアクセス信号の伝送によって干渉が発生しないＳＲＳ伝送を考慮したＳＲＳ割り当て及びユーザ端末の動作が存在しなければならない。
【課題を解決するための手段】
【００２８】
本発明は、ＳＲＳ及びランダムアクセス信号の好適な機能を提供する時、動作帯域に対するチャネル品質測定が可能となるように拡張することができる手段を提供するために、既設定されたＳＲＳ伝送帯域の集合内でＳＲＳの伝送帯域の調節を可能にする方法及び装置を提供する。
【００２９】
本発明の一態様によれば、通信システムでユーザ端末がネットワークにＳＲＳを伝送する方法が提供される。この方法で、前記ネットワークによって少なくとも１つのランダムアクセスチャネルの伝送のために割り当てられる帯域が決定される。また、前記少なくとも１つのランダムアクセスチャネルの伝送のために割り当てられた前記帯域と重複しない値にＳＲＳ帯域構成の最大帯域値を設定することによって前記ＳＲＳ帯域構成が再構成される。また、前記再構成したＳＲＳ帯域構成による帯域に対応してＳＲＳが伝送される。前記ＳＲＳ帯域構成に対する情報は、前記ネットワークによって前記ユーザ端末に提供される。
【００３０】
本発明の他の態様によれば、通信システムでネットワークがユーザ端末からＳＲＳを受信する方法が提供される。この方法で、少なくとも１つのランダムアクセスチャネルの伝送のために帯域が割り当てられる。また、前記ユーザ端末に前記割り当てられた帯域及びＳＲＳ帯域構成が伝送される。また、前記少なくとも１つのランダムアクセスチャネルの伝送のために割り当てられた前記帯域と重複しない値にＳＲＳ帯域構成の最大帯域値を設定することによって前記ユーザ端末が再構成したＳＲＳ帯域構成による帯域に対応してＳＲＳ伝送が受信される。前記ＳＲＳ帯域構成に対する情報は、前記ネットワークによって前記ユーザ端末に提供される。
【００３１】
本発明のさらに他の態様によれば、通信システムでネットワークにＳＲＳを伝送する装置が提供される。この装置は、少なくとも１つのランダムアクセスチャネルの伝送のためにネットワークによって割り当てられる帯域を決定し、前記少なくとも１つのランダムアクセスチャネルの伝送のために割り当てられた前記帯域と重複しない値にＳＲＳ帯域構成の最大帯域値を設定することによって前記ＳＲＳ帯域構成を再構成し、前記再構成したＳＲＳ帯域構成による帯域に対応して前記ＳＲＳを伝送するサブキャリアマッパーを含む。前記ＳＲＳ帯域構成に対する情報は、前記ネットワークによってユーザ端末に提供される。
【００３２】
本発明のさらに他の態様によれば、通信システムでユーザ端末からＳＲＳを受信する装置が提供される。この装置は、少なくとも１つのランダムアクセスチャネルの伝送のために帯域を割り当てるサブキャリアマッパーと、前記ユーザ端末に前記割り当てられた帯域及びＳＲＳ帯域構成を伝送する送信機と、前記少なくとも１つのランダムアクセスチャネルの伝送のために割り当てられた前記帯域と重複しない値にＳＲＳ帯域構成の最大帯域値を設定することによって前記ユーザ端末が再構成したＳＲＳ帯域構成による帯域に対応してＳＲＳ伝送を受信する受信機とを含み、前記ＳＲＳ帯域構成に対する情報は、ネットワークによって前記ユーザ端末に提供される。
【発明の効果】
【００３３】
本発明は、ＳＲＳ及びランダムアクセス信号の好適な機能を提供する時、動作帯域に対するチャネル品質測定が可能となるように拡張することができる手段を提供するために、既設定されたＳＲＳ伝送帯域の集合内でＳＲＳの伝送帯域の調節が可能にする方法及び装置を提供することができる。
【図面の簡単な説明】
【００３４】
【図１】ＰＵＳＣＨ伝送のための上向きリンクサブフレーム構造を示す図である。
【図２】複数のユーザ端末からの多重化されたＳＲＳ伝送を示す図である。
【図３】ＣＡＺＡＣシーケンスのための第１のＳＣ−ＦＤＭＡ送信機を示すブロック図である。
【図４】ＣＡＺＡＣシーケンスのための第２のＳＣ−ＦＤＭＡ送信機を示すブロック図である。
【図５】ＣＡＺＡＣシーケンスのための第１のＳＣ−ＦＤＭＡ受信機を示すブロック図である。
【図６】ＣＡＺＡＣシーケンスのための第２のＳＣ−ＦＤＭＡ受信機を示すブロック図である。
【図７】循環移動（ｃｙｃｌｉｃ  ｓｈｉｆｔｓ）を通じてＣＡＺＡＣシーケンスに適用することを示す図である。
【図８】一般的なサブフレームでＳＲＳ伝送帯域を示す図である。
【図９】特別サブフレーム構造を示す図である。
【図１０】本発明の実施形態によるＵｐＰＴｓシンボルで多様なランダムアクセスチャネルに対する最大ＳＲＳ伝送帯域の調節を示す図である。
【図１１】本発明の実施形態によるＵｐＰＴｓシンボルで動作帯域のエッジに位置するランダムアクセスチャネルの伝送帯域と隣接するかまたは重複する中間ＳＲＳ伝送帯域を調節する第１実施形態を示す図である。
【図１２】本発明の実施形態によるＵｐＰＴｓシンボルで動作帯域のエッジに位置するランダムアクセスチャネルの伝送帯域と隣接するかまたは重複する中間ＳＲＳ伝送帯域を調節する第２実施形態を示す図である。
【図１３】本発明の実施形態によるＵｐＰＴｓシンボルで動作帯域のエッジに位置するランダムアクセスチャネルの伝送帯域と重複を避けるために中間ＳＲＳ伝送帯域を調節する第３実施形態を示す図である。
【図１４】本発明の実施形態によるＵｐＰＴｓシンボルで動作帯域内に位置するランダムアクセスチャネルの伝送帯域と重複を避けるために中間ＳＲＳ伝送帯域を調節する第１実施形態を示す図である。
【図１５】本発明の実施形態によるＵｐＰＴｓシンボルで動作帯域内に位置するランダムアクセスチャネルの伝送帯域と重複を避けるために中間ＳＲＳ伝送帯域を調節する第２実施形態を示す図である。
【発明を実施するための形態】
【００３５】
以下、添付の図面を参照して本発明の実施形態をさらに詳細に説明する。但し、実施形態を説明するにあたって、本発明の属する技術分野によく知られているか、本発明と直接関連がない事項に対しては、本発明の核心を不明瞭にせず、明確に伝達するために、説明を省略することができる。なお、図面で、同一または対応の構成要素には、同一の参照番号を付与する。
【００３６】
また、本発明の実施形態は、ＳＣ−ＦＤＭＡ通信システムと関連して説明されているが、本発明は、一般的にＦＤＭ（Ｆｒｅｑｕｅｎｃｙ  Ｄｉｖｉｓｉｏｎ  Ｍｕｌｔｉｐｌｅｘｉｎｇ）システムにも適用されることができる。また、本発明は、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＤＦＴ（Ｄｉｓｃｒｅｔｅ  Ｆｏｕｒｉｅｒ  Ｔｒａｎｓｆｏｒｉｎ）−ｓｐｒｅａｄＯＦＤＭ、ＤＦＴ−ｓｐｒｅａｄ  ＯＦＤＭＡ、ＳＣ−ＯＦＤＭＡ（Ｓｉｎｇｌｅ−Ｃａｒｒｉｅｒ  ＯＦＤＭＡ）などにも適用されることができ、特に、ＳＣ−ＯＦＤＭに適用されることができる。
【００３７】
本発明の目的は、ＴＤＤ通信システムのＵｐＰＴＳシンボルでランダムアクセスチャネルを提供するＳＲＳ伝送の支援を考察するためのものである。
【００３８】
第１目的は、ｎｏｎ−ＵｐＰＴＳシンボルで支援されないＳＲＳ伝送帯域の導入を回避し、最大ＳＲＳ伝送帯域とランダムアクセスチャネルに割り当てられた帯域が重複しないように、最大ＳＲＳ伝送帯域（ｍａｘｉｍｕｍ  ＳＲＳ  ｔｒａｎｓｍｉｓｓｉｏｎ  ＢＷ）を決定する方法を考察するためのものである。
【００３９】
第２目的は、ランダムアクセスチャネルに割り当てられた帯域と少なくとも一部分が重複しない時、そのような重複を避けるようにＳＲＳ伝送帯域を調節するための方法を考察するためのものである。
【００４０】
第３目的は、ランダムアクセスチャネルの周波数位置がサービング基地局によって定義される動作帯域内で構成することができる時、ＳＲＳ伝送帯域を調節する方法を考察するためのものである。
【００４１】
各々Ｑ個のリソースブロックを有するＮＲＡ個のランダムアクセスチャネルのすべてが既設定された方法によって、動作帯域のエッジの一方または両方に位置すると仮定する。さらに、ＮＵＬＲＢ個のリソースブロックの与えられた動作帯域のためのＳＲＳ帯域構成は、例えば、表１に列挙されたもののように、あらかじめ決定されると仮定する。
【００４２】
表１を参照して表記したように、あらかじめ決定したもの以外の新しいＳＲＳ伝送帯域の導入を避けるために、本発明は、ＵｐＰＴＳシンボル内で最大ＳＲＳ帯域が次の数式（２）によって決定されるとみなす。
【００４３】
【数６】
0005551703.tif 000008
【００４４】
ここで、値を求めることは、ＳＲＳ帯域構成（例えば、表１の８個の構成）の全体セットｃを通じて行われる。したがって、（ＮＵＬＲＢ−Ｑ・ＮＲＡ）と同じかまたは小さく、すべての支援可能な構成にわたった最大ＳＲＳ伝送帯域の最大値は、ＵｐＰＴｓシンボルで最大ＳＲＳ伝送帯域として選択される。最大ＳＲＳ伝送帯域を除いた、残りのＳＲＳ伝送帯域は、ｎｏｎ−ＵｐＰＴＳシンボル内の帯域と同一である。
【００４５】
ＵｐＰＴＳシンボルでランダムアクセスチャネルの帯域が一般サブフレームでＰＵＣＣＨ帯域より小さい時、数式２を通じて決定された最大ＳＲＳ伝送帯域が増加する。これにより、ＵｐＰＴＳシンボルの長い帯域の測定を可能にする。ＵｐＰＴＳシンボルでランダムアクセスチャネルの帯域が一般サブフレームでＰＵＣＣＨ帯域より大きい時、数式２を通じて決定された最大ＳＲＳ伝送帯域が減少する。このような調節によって、最大帯域でＳＲＳ伝送とＵｐＰＴＳシンボルでランダムアクセスチャネルの伝送間のオーバーラッピング（干渉）を避けることができる。
【００４６】
最大帯域でＳＲＳ伝送のための一番目のリソースブロックは、次の数式３によって決定される。
【００４７】
【数７】
0005551703.tif 000009
【００４８】
ここで、ｆｌｏｏｒ演算
【数８】
0005551703.tif 000010
は、その前の整数に丸める。１つのリソースブロックは、ＮＲＢＳＣ個のサブキャリアに対応するので、サブキャリアの観点から、これは
【数９】
0005551703.tif 000011
と同一である。全体Ｋ０個のコム（ｃｏｍｂ）でＳＲＳのためのコムスペクトルを仮定すれば、ＵｐＰＴＳシンボルで最大帯域ＳＲＳ伝送の一番目のサブキャリアは、
【数１０】
0005551703.tif 000012
によって決定されることができる。ここで、
【数１１】
0005551703.tif 000013
は、コム（ｃｏｍｂ）で定義し、サービング基地局（Ｎｏｄｅ  Ｂ）が上位階層のシグナリングを通じてユーザ端末に割り当てるものと仮定する。本発明の実施形態において、最大帯域ＳＲＳ伝送の開始リソースブロック（またはサブキャリア）のための開始位置について提示したが、これは、例示的なものであって、限定的なものではない。
【００４９】
サービング基地局（Ｎｏｄｅ  Ｂ）によって（例えば、放送チャネルを通じて）シグナリングされるＳＲＳ帯域構成をｃＳで示し、ＵｐＰＴＳシンボル内で最大ＳＲＳ伝送帯域が選択されるＳＲＳ帯域構成をｃＵで示すと、ｍＳＳＲＳ,０＞ＮＵＬＲＢ−Ｑ・ＮＲＡであり、ｍＵＳＲＳ,０≦ＮＵＬＲＢ−Ｑ・ＮＲＡである時、またはｍＳＳＲＳ,０＜ｍＵＳＲＳ,０≦ＮＵＬＲＢ−Ｑ・ＮＲＡである時、Ｓ≠Ｕである。
【００５０】
例えば、表１を参照してＱ＝６，ＮＵＬＲＢ＝１００、ｎｏｎ−ＵｐＰＴＳシンボルを使用してサービング基地局によってブロードキャストで伝送した構成がｃ＝３であると仮定すれば、
ＵｐＰＴＳシンボルでＮＲＡ＝０である時、９６個のリソースブロックの最大ＳＲＳ伝送帯域ＮＳＲＳｍａｘは、ｎｏｎ−ＵｐＰＴＳシンボルで最大ＳＲＳ伝送帯域ｍ３ＳＲＳ,０が７２個のリソースブロックであり、（ＮＵＬＲＢ−Ｑ・ＮＲＡ）が１００個のリソースブロックである場合にも適用される。
【００５１】
ＵｐＰＴＳシンボルでＮＲＡ＝４である時、７２個のリソースブロックの最大ＳＲＳ伝送帯域ＮＳＲＳｍａｘは、ｎｏｎ−ＵｐＰＴＳシンボルでｍ３ＳＲＳ,０であって、（ＮＵＬＲＢ−Ｑ・ＮＲＡ）が７６個のリソースブロックである場合にも適用される。
【００５２】
ＵｐＰＴＳシンボルでＮＲＡ＝６である時、６４個のリソースブロックの最大ＳＲＳ伝送帯域ＮＳＲＳｍａｘ（ｃ＝４）は、ｎｏｎ−ＵｐＰＴＳシンボルｍ３ＳＲＳ,０で最大ＳＲＳ伝送帯域が７２個のリソースブロックであり、また、（ＮＵＬＲＢ−Ｑ・ＮＲＡ）が６４個のリソースブロックである場合にも適用される。
【００５３】
図１０は、本発明の実施形態による前述した例を示すものであり、ｎｏｎ−ＵｐＰＴＳシンボルでＳＲＳ帯域構成は、表１でｃ＝３であると仮定する（数は、リソースブロックに対応する）。ＵｐＰＴＳシンボルでＮＲＡ＝０なら、動作帯域の各エッジのリソースブロック１０１６及び１０１８は、図８のように、測定されない。しかし、最大ＳＲＳ伝送帯域ＮＳＲＳｍａｘ１０２２は、９６個のリソースブロックになる。空いているＳＲＳ伝送帯域であるｍ３ＳＲＳ,１＝２４個のリソースブロック１０２３、ｍ３ＳＲＳ,２＝１２個のリソースブロック１０２６、またはｍ３ＳＲＳ,３＝４個のリソースブロック１０２８は、ｎｏｎ−ＵｐＰＴＳシンボルで同一に空きになる。ＵｐＰＴＳシンボルでＮＲＡ＝４である時、ランダムアクセスチャネル１０３２及び１０３４は、動作帯域の各エッジに位置すると仮定する（均等分割されたＮＲＡの場合は、偶数の整数）。動作帯域の各エッジのリソースブロック１０３６及び１０３８は、測定されない。また、最大ＳＲＳ伝送帯域ＮＳＲＳｍａｘ１０４２は、ｎｏｎ−ＵｐＰＴＳシンボルでｍ３ＳＲＳ,０のように７２個のリソースブロックである。ＳＲＳ伝送帯域であるｍ３ＳＲＳ,１＝２４個のリソースブロック１０４４、ｍ３ＳＲＳ,２＝１２個のリソースブロック１０４６、及びｍ３ＳＲＳ,３＝４個のリソースブロック１０４８は、ｎｏｎ−ＵｐＰＴＳシンボルで同一に空きになる。最後に、ＵｐＰＴＳシンボルでＮＲＡ＝６なら、ランダムアクセスチャネル１０５２及び１０５４は、動作帯域の各エッジに位置すると仮定する。ランダムアクセスチャネルに割り当てられないすべてのリソースブロックは、測定されず、最大ＳＲＳ伝送帯域ＮＳＲＳｍａｘ１０６２は、６４個のリソースブロックである。ＮＲＡ＝６で最も注目すべき点は、ランダムアクセスチャネルは帯域の一部を満たし、ＳＲＳ帯域がｎｏｎ−ＵｐＰＴＳで伝送される最大値より小さいことである。図１０で説明した本発明の実施形態によれば、ｎｏｎ−ＵｐＰＴＳシンボルの空き部分１０６４、１０６６、１０６８で伝送が行われる時にも、残りのＳＲＳ伝送１０６５、１０６７、１０６９は、一時停止（取消）になる。しかし、ＳＲＳ伝送の一時停止（取消）を減少させるか、避けるための他の方案は、後述する。
【００５４】
本発明の実施形態によれば、中間ＳＲＳ帯域（最大でもなく、最小でもない）に対して、ＳＲＳ伝送が取り消されることの代わりに、ランダムアクセスチャネルに割り当てて重複する帯域を作ること、このようなＳＲＳの伝送帯域の代わりにｎｏｎ−ＵｐＰＴＳシンボルで支援される最大帯域に減少すること、及びランダムアクセスチャネルに割り当てられた帯域に拡張しないことを考慮する。以前の実施形態でＮＲＡ＝６場合を利用すれば、図１１は、本発明の実施形態による上述した原則に対して示す。ランダムアクセスチャネル１１０２及び１１０４は、動作帯域の各２つのエッジに位置する。最大ＳＲＳ伝送帯域ＮＳＲＳｍａｘ１１１２は、６４個のリソースブロックである。最小帯域でのＳＲＳ伝送は、ランダムアクセスチャネル１１１７に割り当てられた帯域と重複して取消される。しかし、ランダムアクセスチャネルに割り当てられた帯域と重複する中間帯域でのＳＲＳ伝送は取り消されず、代わりに、２４個のリソースブロックから２０個のリソースブロック１１１３に減少する。また、１２個のリソースブロックから８個のリソースブロック１１１５に減少する。なぜなら、２０個のリソースブロック及び８個のリソースブロックの各々は、ｎｏｎ−ＵｐＰＴＳシンボル（表１）で支援する最大ＳＲＳ帯域がランダムアクセスチャネルに割り当てられた帯域と当該ＳＲＳ伝送帯域が重複しないからである。中間帯域１１１４、１１１６、１１１８で他のＳＲＳ伝送には影響を及ぼさない。
【００５５】
一般的に、（ＮＵＬＲＢ−Ｑ・ＮＲＡ）が最大ＳＲＳ伝送帯域の最小値より小さいようにするシナリオを設定するためには、表１の例で、４８個のリソースブロックと同一であり、ｃ＝６またはｃ＝７の場合、数式２の最大化演算が数式４によってすべての構成のためにすべてのＳＲＳ伝送帯域にわたって拡張されなければならない。
【００５６】
【数１２】
0005551703.tif 000014
【００５７】
ここで、与えられたＳＲＳ帯域構成でＳＲＳ伝送帯域の全体セットＢ及び与えられたＳＲＳ帯域構成でＳＲＳ伝送帯域の全体セットＣを算出する。例えば、上記で仮定したような同一のパラメータ値を利用して、ＵｐＰＴＳシンボルでＮＲＡ＝９なら、表１の構成で最大ＳＲＳ伝送帯域ではない場合、（ＮＵＬＲＢ−Ｑ・ＮＲＡ）＝４６は、４６より小さい値を有する。この時、ＵｐＰＴＳで最大ＳＲＳ伝送帯域は、４０個のリソースブロックであり、このリソースブロックは、ｂ＝１、ｃ＝２である時に得られる。ｎｏｎ−ＵｐＰＴＳで４０個のリソースブロックより長いＳＲＳ伝送帯域を割り当てられたすべてのユーザ端末は、ｎｏｎ−ＵｐＰＴＳシンボルで最大値ではないとしても、最大支援可能な帯域をｎｏｎ−ＵｐＰＴＳシンボルで４０個のリソースブロックより小さく戻す。図１２は、本発明の実施形態による前述した原則を示す図である。ランダムアクセスチャネル１２０２及び１２０４は、動作帯域の２つのエッジに位置する。最大ＳＲＳ伝送帯域ＮＳＲＳｍａｘ１２１２は、４０個のリソースブロックに減少する。また、最小帯域のＳＲＳ伝送は、ランダムアクセスチャネル１２１７に割り当てられた帯域と重複してその伝送が取消（中止）される。図１１のように、ランダムアクセスチャネルに割り当てられた帯域と重複する中間帯域でのＳＲＳ伝送は取消されず、その代わりに帯域１２１３Ａ、１２１５Ａに減少するか、帯域１２１５Ｂに取消される。中間帯域１２１４、１２１６、１２１８で他のＳＲＳ伝送は影響されない。
【００５８】
図１３は、本発明の実施形態による他の代案を示す図である。図１２と同一の論点を提起し、但し、異なる点は、帯域減少がランダムアクセスチャネルに隣接する帯域だけでなく、中間ＳＲＳ帯域のすべてのＳＲＳ位置に適用される点である。これは、ＳＲＳ伝送のための（ＮＵＬＲＢ−Ｑ・ＮＲＡ）のリソースブロックの数を算出し、ｎｏｎ−ＵｐＰＴＳシンボルで支援される帯域を得るために、ＳＲＳ位置の数によって分割することによって行われる。ＳＲＳ帯域構成がｃ＝３であり、ｎｏｎ−ＵｐＰＴＳシンボルで二番目に長いＳＲＳ帯域である時、３個のＳＲＳ位置がある（表１）。図１３で、（ＮＵＬＲＢ−Ｑ・ＮＲＡ）＝４４個のリソースブロックは、各々１３１３Ａ、１３１３Ｂ、１３１３Ｃに位置する１６個のリソースブロック、１６個のリソースブロック、１２個のリソースブロックのように３個のＳＲＳ位置によって分割される。図１３の要素１３０２、１３０４、１３１２、１３１５Ａ、１３１５Ｂ、１３１６、１３１７、１３１８は、各々図１２の要素１２０２、１２０４、１２１２、１２１５Ａ、１２１５Ｂ、１２１６、１２１７、１２１８に対応する。
【００５９】
ＰＵＣＣＨとは異なって、ランダムアクセスチャネルの周波数位置は、いつも動作チャネルの２つのエッジに位置するものではない。ＵｐＰＴＳシンボルでＳＲＳ伝送のための設定は、ｎｏｎ−ＵｐＰＴＳでのものと異なる。ＳＲＳ伝送帯域は、ランダムアクセスチャネルに割り当てられた帯域と常時重複することができる。この場合、図１０〜図１３で説明したものと同様の原理が適用されることができる。
【００６０】
第一の方案は、ランダムアクセスチャネルに割り当てられた帯域と重複する帯域でＳＲＳ伝送を取消（中断）することである。この実施形態が図１４に示されている。ランダムアクセスチャネルに割り当てられた帯域１４１０は、動作帯域の中間近くに配置される。しかし、他の位置も可能である。最大帯域１４２０でＳＲＳ伝送は、ランダムアクセスチャネルに割り当てられた帯域と重複して取消される。これにより、さらに小さい帯域１４３０、１４４０、１４５０でＳＲＳ伝送に対して同一に適用される。一方、ランダムアクセスチャネルに割り当てられた帯域と重複しない帯域１４３４、１４４５、１４５５でＳＲＳ伝送は変わらない。
【００６１】
第二の方案は、ランダムアクセスチャネルに割り当てられた帯域と重複を避けるためにＳＲＳ伝送帯域を調節することである。この実施形態が図１５に示されている。ランダムアクセスチャネルに割り当てられた帯域１５１０は、動作帯域の中間近くに配置される。しかし、他の位置も可能である。最大帯域１５２０でＳＲＳ伝送は移動し、ｎｏｎ−ＵｐＰＴＳシンボルでサポート可能となるように最大帯域に減少し、ランダムアクセスチャネルに割り当てられた帯域と重複しない。ｎｏｎ−ＵｐＰＴＳシンボルでただ１つの最大ＳＲＳ帯域が存在する場合にも、ＵｐＰＴｓシンボルで二番目のＳＲＳ帯域１５２５を使用することができる。これは、例えば、ＳＲＳ伝送ＵｐＰＴＳシンボルだけでＳＲＳを伝送することができるユーザ端末に割り当てることができる。同一の手続がＳＲＳ伝送帯域１５３０、１５４０、１５５０で適用される。また、最大ＳＲＳ伝送帯域によって１５３５のように、他のＳＲＳ伝送帯域に追加ＳＲＳ伝送帯域が生成されることができる。
【００６２】
本発明の実施形態によれば、ユーザ端末でＳＲＳ帯域構成の再構成に先立って、基地局（Ｎｏｄｅ  Ｂ）は、サブキャリアマッパーを通じてランダムアクセスチャネルの伝送のための帯域を割り当てる。また、基地局は、割り当てられた帯域及びＳＲＳ帯域構成を送信機を通じてユーザ端末に伝送する。ＳＲＳ帯域構成の再構成が行われた後、直ちにユーザ端末から基地局（Ｎｏｄｅ  Ｂ）にＳＲＳが伝送される。基地局（Ｎｏｄｅ  Ｂ）は、ＳＲＳ帯域構成が再構成された帯域を通じてＳＲＳ伝送を受信する。再構成された帯域は、少なくとも１つのランダムアクセスチャネルに割り当てられた帯域との重複を阻止するためのものである。
【００６３】
なお、本明細書と図面に開示された本発明の実施形態は、本発明の技術内容を容易に説明し、本発明の理解を助けるために特定例を提示したものに過ぎず、本発明の範囲を限定しようとするものではない。ここに開示された実施形態以外にも、本発明の技術的思想に基づく他の変形例が実施可能であることは、本発明の属する技術分野における通常の知識を有する者に自明であろう。
【符号の説明】
【００６４】
１１０  サブフレーム構造
１２０  スロット
１３０  シンボル
１４０  ＲＳの伝送
１５０  連続するリソースブロック
【図１】
0005551703.tif 000017
【図２】
0005551703.tif 000018
【図３】
0005551703.tif 000019
【図４】
0005551703.tif 000020
【図５】
0005551703.tif 000021
【図６】
0005551703.tif 000022
【図７】
0005551703.tif 000023
【図８】
0005551703.tif 000024
【図９】
0005551703.tif 000025
【図１０】
0005551703.tif 000026
【図１１】
0005551703.tif 000027
【図１２】
0005551703.tif 000028
【図１３】
0005551703.tif 000029
【図１４】
0005551703.tif 000030
【図１５】
0005551703.tif 000031